(57)【要約】【課題】  面材に対するケーシングの取付け作業が簡単で、確実に固定でき、かつ、面材に対する機器の取り付けを完了した後であっても、面材からケーシングを簡単に取り外すことができる面材貫通型住宅機器の提供を課題とする。【解決手段】  ケーシング２の円筒部７を面材に貫通させ、フランジ部６を面材に当接させて取り付ける構造を備えた面材貫通型住宅機器（換気扇１）であって、円筒部７にフランジ部６に対向してバイス９を配置し、これをフランジ部６側からの操作で、円筒部７の軸線方向において、フランジ部６から面材の厚み寸法以上の位置と同以下の位置との間で移動及び固定可能に設ける。【選択図】          図１
2007078309.tif 000002
【特許請求の範囲】
【請求項１】
円筒部とフランジ部とからなりフランジ部が円筒部の端面に円筒部の軸線と交差して広がる方向に形成されているケーシングを有し、ケーシングの円筒部を面材に貫通させ、フランジ部を面材に当接させて取り付ける構造を備えた住宅機器であって、円筒部にフランジ部と対向してバイスを配置し、フランジ部側からの操作で、バイスを円筒部の軸線方向でフランジ部から面材の厚み寸法以上の位置と同以下の位置との間で移動及び固定可能に設けてあることを特徴とした面材貫通型住宅機器。
【請求項２】
ファン、ファンモーター及びケーシングを有し、ケーシングは、内側にファン及びファンモーターを組付けるファンケーシングであることを特徴とした請求項１に記載の住宅機器。
【請求項３】
バイスはフランジ部に対する対向部と脚部及びスライド部を有し、ケーシングの円筒部に軸線方向のガイド溝を形成し、そのガイド溝へ、前記のスライド部を円筒部の半径方向へ抜け出ないように嵌め込み、円筒部におけるフランジ部側の端部に頭部を係合させるとともにそのねじ部をガイド溝へ挿入した引寄せネジを設け、ねじ部を前記バイスのスライド部に螺合して回転操作可能としてあることを特徴とした請求項１又は２に記載の面材貫通型住宅機器。
【発明の詳細な説明】
【技術分野】
【０００１】
この発明は、主として木造住宅に使用する換気扇、換気フードなど、壁や天井を構成する面材を貫通する型の住宅機器に関する。
【背景技術】
【０００２】
木造住宅に使用する面材貫通型の住宅機器では、壁や天井などの面材に当てるフランジ部と面材の厚み部分を貫通させるための円筒部とからなるケーシングを備えることが多い。例えば、換気扇はファンとファンモーターを組付けたファンケーシング（ケーシング）を住宅の壁を構成する面材に固定することにより取り付ける。ファンケーシングは通常、ファンやファンモーターを収納する円筒部分とその一端に面材に沿うフランジ部を有している。面材に対するケーシングの固定は、円筒部に設けたばね材で突張り係合させる構造（特許文献１）、壁面材を挟んでフランジ部とその反対側に位置させた部材とで壁用面材を挟み付ける構造（特許文献２）、あるいはフランジ部を壁用面材に釘打ちやネジ止めする構造（特許文献３）によって行われている。
【０００３】
【特許文献１】特許３３８５８６２号公報
【特許文献２】登録実用新案第３０２４４７５号公報
【特許文献３】特開平９−３１８１３３号公報
【発明の開示】
【発明が解決しようとする課題】
【０００４】
住宅機器における従来のケーシング取り付け構造をみると、特許文献１のように、ばね材で突張り係合させるタイプのものでは、作業が簡便であるが、固定状態が確実でなく、取付け後に振動などで取付け位置からずれてくる恐れがある。特許文献２の構造は、フードを取り付ける壁に円孔を設け、これに屋外側からフードの円筒部を差込み、屋内側から取付枠体を嵌めこみ、これをまず、円筒部へ内側ねじでねじ止めし、ついで、屋内側から前記取付枠体にねじ込んだ外側ねじの先端を面材に当て、さらにネジ込むことにより、屋外側のフランジ部と外側雄ねじの先端とで面材を挟みつけるものであり、背面側（屋内側）の面材を取り付けた後では取り外すことができない。特許文献３のように、釘打ちやネジ止めするタイプでは、釘打ちやねじ止めする個所に予め補強材を取り付けておく必要があり、また、掃除、点検など、必要なときに取り外すことが困難である。
この発明は、面材に対するケーシングの取付け作業が簡単であるとともに、確実に固定することができ、かつ、面材に対する機器の取り付けを完了した後であっても、面材からケーシングを簡単に取り外すことができる面材貫通型住宅機器の提供を課題とする。
【課題を解決するための手段】
【０００５】
面材貫通型住宅機器のケーシングを円筒部と円筒部の一端に設けたフランジ部及びバイスを備えたものとする。バイスはフランジ部側からの操作で、円筒部の軸線方向に移動できると共に、その位置に位置決めが可能なものとする。フランジ部とバイスとで面材を挟み付けてケーシングを壁、天井等の面材に固定する。
【発明の効果】
【０００６】
面材貫通型住宅機器（例えば、換気扇）を取り付ける面材にケーシングの円筒部を通すことができる円孔とその半径方向外側に連続させてバイスを通すことができるバイス用の切り欠きを設け、そこに、円筒部とバイスを通し、円筒部を回転させてバイスの位置を前記バイス用の切り欠きからはずし、ついで、バイスをフランジ部側からの操作でフランジ部に向けて引き寄せるだけで、ケーシングを面材に固定することができるから、取付け作業が簡便である。フランジ部とバイスにより面材を挟み付けるので固定が確実である。また、一旦取付けた後であっても、フランジ部側からバイスを緩めてケーシングを取り外すことができ、点検や清掃に便利である。
【発明を実施するための最良の形態】
【０００７】
面材壁貫通型住宅機器のケーシングを、円筒部と円筒部の一端面に円筒部の軸線と交差する方向に広がるフランジ部を備えたものとする。ケーシングの前記円筒部に、フランジ部に対向してフランジ部との間で壁面材を挟み付けるバイスを配置する。フランジ部側から操作できる引寄せねじなどにより、バイスを円筒部の軸線方向でフランジ部から面材の厚み寸法以上の位置と同以下の位置との間で移動させ、また、固定することができる手段を設ける。
【実施例１】
【０００８】
図１〜７は、この発明における第１の実施例である。図１、２は、換気扇１（面材貫通型住宅機器）の全体を示したものであり、換気扇１は、ファンケーシング２（ケーシング）、その内部に組み込まれるファン３とファンモーター４を備える。符号５は化粧グリルであり、壁用面材２０（図７）の屋内側でファンケーシング２の屋内側端に取付けられる。モーター以外は合成樹脂の成形品で構成している。
ファンケーシング２はフランジ部６と円筒部７が一体に成形されている（図３）。円筒部７は、屋内側の大径部７ａと屋外側の小径部７ｂを有し、フランジ部６は円筒部７の屋内側端部に円筒部７の軸線Ｐと交差する面に沿い、外形がほぼ正方形となるようにして一体に形成されている。フランジ部６の上辺と下辺には化粧グリル５を係合するための突起８が形成されている。
そして、ファンケーシング２は、円筒部７にその一部品としてバイス９を備える。
【０００９】
バイス９は、この実施例において、フランジ部６に対する対向部１０と脚部１１及びスライド部１２を有した合成樹脂製品である。スライド部１２は円筒部７の軸線Ｐと平行に軸線をそろえた短い円筒形であり、軸方向に雌ねじ１３を貫通させて形成してある（図５）。一方、円筒部７の大径部７ａの内面には、１８０°の間隔で、軸線Ｐと平行に軸線をそろえて断面環形の突条１４が一体成形されており（図３）、その内部が前記スライド部１２を案内するガイド溝１５となっている。ガイド溝１５は大径部７ａの半径方向で外側に開放され、円筒部７の軸線Ｐと平行なスリット１６が形成されている。ガイド溝１５とスリット１６は軸線Ｐ方向に屋外側へ突き抜けて形成され、端面は開放されている。
【００１０】
バイス９は、そのスライド部１２を環形の突条１４の屋外側端部からガイド溝１５に嵌め込み、脚部１１をスリット１６に配置して環形の突条１４に取り付ける。取り付けられたバイス９はその対向部１０が大径部７ａの外側に位置してフランジ部６と対向する。
ガイド溝１５には、円筒部７の屋内側（すなわち、フランジ部６側）から引寄せねじ１７が挿入される。引寄せねじ１７は、頭部１８とねじ部１９を有し（図５）、ねじ部１９がバイス９のスライド部１２に螺合される。頭部１８はガイド溝１５の内部に入り込むことはできず、環形の突条１４の屋内側端で回転する。
【００１１】
換気扇１を取り付けるときは、まず、屋内側の壁用面材２０に、ファンケーシング２が貫通できる円孔２１を形成するとともに、その周囲で１８０°の間隔をとった位置にバイス９を貫通させるための切り欠き２２を円孔２１とつなげて形成する。図３のように、大径部７ａにおける環形の突条１４の配置が水平に１８０°の間隔であるときは、前記の切り欠き２２はこの位置を外した例えば、４５°傾斜した位置（図６）に形成することが好ましい。
ついで、内部にファン３とファンモーター４を組付けたファンケーシング２の円筒部７を屋内側から屋外側へ挿し込み、フランジ部６を壁用面材２０の屋内側面に当てる。バイス９も切り欠き２２を通して壁用面材２０よりも屋外側とする。このとき、バイス９は引寄せねじを左回転させてスライド部１２を屋外側に送り、対向部１０とフランジ部６との間隔を壁用面材２０の厚み以上にしておく。
【００１２】
フランジ部６の上辺が水平となるように、ファンケーシング２の全体を右に回転させると、バイス９は、切り欠き２２の位置を外れて壁用面材２０の屋外側面と対向する位置となる。そこで、円筒部７の屋内側で環形の突条１４箇所に露出している引寄せねじ１７の頭部１８をドライバーなどの工具で右に回転させると、スライド部１２は屋内側に引寄せられ、バイス９がフランジ部６との間で壁用面材２０を挟持する。これにより、ファンケーシング２が壁用面材２０に固定される（図７の状態）。そして、化粧グリル５をフランジ部６の突起８に係合させ、換気扇１の取付けを完了する。
【実施例２】
【００１３】
図８、９は、第２の実施例である。換気扇１は浴室の天井用面材２３に取り付けられ、その排気側（屋外側）はダクト２４を通じて外壁用面材２５に取り付けたフード２６に接続されている。換気扇１の構造は第１の実施例と同じであり、また、天井用面材２３に対する換気扇１の取り付け構造及び取付けの手順は、前記の壁用面材２０に対する場合と同じである。
フード２６（図９）は、この実施例において、外壁用面材２５に貫通させて取り付けるベースケーシング２７とフード本体２８とからなる。ベースケーシング２７は、円筒部２９とフランジ部３０を備え、円筒部２９には第１の実施例の場合と同様に、バイス９が円筒部２９の軸方向で移動可能に取り付けられており、屋外側から引寄せねじ１７により操作可能とされている。フード本体２８はベースケーシング２７のフランジ部３０へ係合あるいはねじ止めにより固定される。外壁用面材２５に形成した孔にベースケーシング２７の円筒部２９を屋外側から差し込み、フランジ部３０とバイス９とで外壁用面材２５を挟み付けて固定する。ついで、フード本体２８を取り付ける。
【００１４】
この実施例のフード２６は、円筒部２９を外壁用面材２５ヘがた無く確実に固定できるので、円筒部２９に換気ファンなどを取り付けた換気ファンタイプとするのに有利である。フード２６側に換気ファンを配置するときは、天井用面材２３に取り付けた換気扇１は、換気ファンの無い化粧グリル５を備えただけの単なる開口となる。
また、本願の発明は、第１の実施例のように壁の屋内側と屋外側を直接に連通させるような構造ばかりでなく、この実施例のように浴室の天井側と外壁側という離れた個所をダクトで結合して連通させる構造の場合にも利用することができる。
【００１５】
以上のように、換気扇１やフード２６の取付けは簡単である。バイス９とフランジ部６、３０による挟み付けの構造はがたが無く、固定状態が確実である。また、化粧グリル５あるいはフード本体２８を外せば、引寄せねじ１７の頭部１８が露出するので、これを取り付ける場合と逆方向に回転させ、取り付けるときと逆の手順で、換気扇１あるいはフード２６を簡単に取り外すことができる。
換気扇１やフード２６の取付けを中心に説明したが、この発明は、ケーシングを面材へ貫通させて取り付ける他の面材貫通型住宅機器の取り付け構造に共通する。
【図面の簡単な説明】
【００１６】
【図１】換気扇（面材貫通型住宅機器）の斜視図（第１の実施例）。
【図２】換気扇の側面図。
【図３】ファンケーシング（ケーシング）の斜視図（正面側）。
【図４】ファンケーシング（ケーシング）の斜視図（背面側）クサビ部材の側面図。
【図５】要部を拡大して示す斜視図。
【図６】取り付け手順を説明するための正面図。
【図７】取付け状態を示す断面図。
【図８】フードを分解して示す斜視図（第２の実施例）。
【図９】換気扇とフードの連結構造を示す断面図。
【符号の説明】
【００１７】
１  換気扇（面材貫通型住宅機器）
２  ファンケーシング（ケーシング）
３  ファン
４  ファンモーター
５  化粧グリル
６  フランジ部
７  円筒部
７ａ  大径部
７ｂ  小径部
８  突起
９  バイス
１０  対向部
１１  脚部
１２  スライド部
１３  雌ねじ
１４  環形の突条
１５  ガイド溝
１６  スリット
１７  引寄せねじ
１８  頭部
１９  ねじ部
２０  屋内側の壁用面材
２１  円孔
２２  バイス貫通用の切り欠き
２３  天井用面材
２４  ダクト
２５  外壁用面材
２６  フード
２７  ベースケーシング
２８  フード本体
２９  円筒部
３０  フランジ部
【図１】
2007078309.tif 000003
【図２】
2007078309.tif 000004
【図３】
2007078309.tif 000005
【図４】
2007078309.tif 000006
【図５】
2007078309.tif 000007
【図６】
2007078309.tif 000008
【図７】
2007078309.tif 000009
【図８】
2007078309.tif 000010
【図９】
2007078309.tif 000011